(57)【要約】      （修正有）【課題】壁掛けタイプとしても、卓上タイプとしても使用できるカレンダーを提供する。【解決手段】台紙が以下のように構成される。月単位の日付を記載した日付用紙の大きさの第１の面１１と、第１の面に縦方向に連続する第２の面１２と、更に、第２の面に縦方向に連続する第３の面１３を延設するとともに、第３の面の縦方向の先端に差込代１４を延設する。この台紙に対して、第１の折れ線２１が、台紙の第１の面と第２の面の境界に形成され、第２の折れ線２２が、第２の面と第３の面の境界に、第３の折れ線２３が、第３の面と差込代の境界に形成される。また、第１の面の下端には、差込代に対応する横方向のスリット１６が形成され、１年分の日付用紙を保持する保持枠３０が、台紙の第１の面の縦方向下端と横方向両端の一方の面側に形成される。【選択図】図３
0003192115.tif 000002
【実用新案登録請求の範囲】
【請求項１】
月単位の日付を記載した日付用紙の大きさの第１の面と、第１の面に縦方向に連続する第１の面と同じ大きさの第２の面と、第２の面に縦方向に連続する第１の面の半分から３分の１の縦幅の第３の面と、更に第３の面の縦方向の先端に延設した差込代を備えた台紙と、
前記台紙に対して前記第１の面と第２の面の境界に形成された第１の折れ線と、前記第２の面と前記第３の面の境界に形成された第２の折れ線と、更に第３の面と差込代の境界に形成された第３の折れ線と、
前記差込代に対応する、第１の面の下端部に設けられた横方向のスリットと、
前記台紙の第１の面の縦方向下端と横方向両端の一方の面側に形成された1年分の日付用紙を保持する保持枠とを備え、
前記第１の面を下端に、差込代を上端に延ばした状態で、前記保持枠に1年分の日付用紙を保持した状態で、壁掛けカレンダーとして使用し、前記保持枠が表に出る状態で前記第１〜第３の折れ線を折って、第３の面を底辺とする２等辺３角形を形成して卓上カレンダーとして使用することを特徴とするカレンダー。
【請求項２】
前記第３の面を底辺とする２等辺３角形が形成されたとき、前記スリットに前記差込代が差し込まれて係止する請求項１に記載のカレンダー。
【請求項３】
前記第２の面の上下端部に、ユーザが好みの紙片を挟み込める、凸字、逆凸字のスリットを形成した請求項１または２に記載のカレンダー。
【考案の詳細な説明】
【技術分野】
【０００１】
本考案はカレンダ−に関し、特に、卓上、壁掛け両用カレンダーに関するものである。
【背景技術】
【０００２】
カレンダ−には壁掛けタイプと卓上タイプがあり、それぞれは製作設計が基本的に異なっており、壁掛けタイプとしても、卓上タイプとしても使用できる兼用カレンダーは存在しなかった。
【考案の概要】
【考案が解決しようとする課題】
【０００３】
しかしながら、カレンダーを配布あるいは販売する側の観点からは、ユーザの要望に応じて２タイプのカレンダーを製作するには手間とコストがかかりすぎる。また、ユーザ側の観点からは、部屋の模様替え、季節等に応じてカレンダーを卓上タイプから壁掛けタイプに、あるいはその逆の用い方をしたいという要望が生じることがある。現状のカレンダーではこの種の要望に応じることは不可能であり、解決策が望まれるところであった。
【０００４】
本考案は、上記従来の事情に鑑みて提案されたものであって、壁掛けタイプとしても卓上タイプとしても使用できるカレンダーを得ることを目的とする。
【課題を解決するための手段】
【０００５】
まず、台紙が以下のように構成される。月単位の日付を記載した日付用紙の大きさの第１の面と、第１の面に縦方向に連続する第１の面と同じ大きさの第２の面と、更に、第２の面に縦方向に連続する第１の面の半分から３分の１の縦幅の第３の面を延設するとともに、更に当該第３の面の縦方向の先端に差込代を延設する。
【０００６】
この台紙に対して以下の折れ線が形成される。まず、第１の折れ線が、前記台紙の第１の面と第２の面の境界に形成され、第２の折れ線が、前記第２の面と前記第３の面の境界に、更に第３の折れ線が、第３の面と差込代の境界に形成される。
【０００７】
また、第１の面の下端には、前記差込代に対応する横方向のスリットが形成され、前記、第１の折れ線と第２の折れ線と第３の折れ線とを、前記一方の面が表面にでるように、折って前記第３の面が底辺となる２等辺３角形を形成したときに、前記差込代が差し込まれるようになっている。
【０００８】
更に、1年分の日付用紙を保持する保持枠が、前記台紙の第１の面の縦方向下端と横方向両端の一方の面側に形成される。
【０００９】
前記第２の面の上下中央に好みの写真等を挟み込む凸字、逆凸字の横方向のスリットを形成する。
【考案の効果】
【００１０】
上記構成により、前記保持枠に１２枚の各月に対応する日付用紙を保持させた状態で、第１の面と第２の面、および第３の面、その先端の差込代を伸ばし、差込代を利用することによって、壁掛けタイプのカレンダーとすることができる。一方、第１の面と第２の面、および第３の面、その先端の差込代を、前記一方の面が外側になるように、第１、第２、第３の各折れ線を山折りして、かつ第３の面が底辺となる2等辺３角形を形成することによって、卓上タイプのカレンダーとなる。
【図面の簡単な説明】
【００１１】
【図１】本発明の台紙の斜視図である。
【図２】図１Ａ−Ａ断面図
【図３】本発明の使用例を示す説明図
【考案を実施するための形態】
【００１２】
図１は本発明のカレンダーに使用する台紙の展開図を示すものである。
【００１３】
まず、台紙１００が以下のように構成される。月単位の日付を記載した日付用紙１０の大きさに対応する第１の面１１と、当該第１の面に、第１の面と同じ大きさの第２の面１２が縦方向に連続して延設される。更に、第２の面１２に、当該第２の面の半分から３分の１の縦方向の長さの第３の面１３が延設される。更に当該第３の面１３の縦方向の先端に第１、第２の面の横方向幅より狭い幅の差込代１４を延設する。
【００１４】
この台紙１００に対して以下の折れ線が形成される。まず、第１の折れ線２１が、第１の面１１と、第２の面１２の境界に形成され、第２の折れ線２２が、前記第２の面１２と前記第３の面１３の境界に形成される。更に、第２の面と前記差込代１４の境界に第３の折れ線２３が形成される。尚、前記第１の折れ線は、後述する１２枚の日付用紙１０の厚みに対応した二重の折れ線であることが好ましい。
【００１５】
また、第１の面の縦方向下端部には、前記差込代１４に対応する横方向のスリット１６が形成される。
【００１６】
更に、第１の面１１の縦方向下端と横方向両端に、1年分の日付用紙１０を保持する保持枠３０が形成される。保持枠３０は図２に示すように、第１の面１１の一方の面にＬ字に立ち上げるようになっている。
【００１７】
図３は、上記のように構成した台紙１００をカレンダーとして使用する場合の展開図を示すものである。
【００１８】
まず、前記台紙１００の初期状態は、図３（ａ）に示すように、前記保持枠３０に各月に対応する１２枚の日付用紙１０が差し込まれた状態で、第１の面１１に対して第１の折れ線２１で山折れにされた第２の面１２が被った状態で折り畳んだ状態となっている。このとき、前記第３の面１３と差込代１４が第１の面より下に垂れ下がった形状となっている。
【００１９】
上記の状態で販売、あるいは配布されたカレンダーは以下のようにして使用される。
【００２０】
＜壁掛けカレンダーとしての使用＞
前記初期状態から第１の面１１に被っている第２の面１２とそれに連続する第３の面１３と差込代１４を開くと、前記保持枠３０に保持された日付用紙１０が最下端に現れることになる（図３（ａ）→（ｂ１）→（ｃ１））。この状態で、前記最上端の差込代１４の中央に明けた吊り下げ穴１５を利用して柱あるいは壁に吊り下げることになる。
【００２１】
前記第２の面には、下側は凸字状に、上側は逆凸字状に向かい合ったスリット１２１、１２２が形成されており、当該スリット１２１、１２２に好みの写真等２０を挟み、第１の面１１をカレンダー面に、第２の面を前記写真等の飾り面に面続きで使用することができる。
【００２２】
＜卓上カレンダーとしての使用＞
前記、初期状態から、第１、第２の折れ線を、前記保持枠３０に保持された日付用紙10が表面にでるように折って、前記第３の面１３が底辺となる２等辺３角形を形成し、更に第３の折線を折って、前記差込代１４を第１の面に形成したスリット１６に裏側から差し込んで固定する（図３（ａ）→（ｂ２）→（ｃ２）→（ｄ））。これによって第３の面１３を底辺とし、第１の面１１と第２の面の表面を斜辺とする２等辺３角形が形成される。前記のように、保持枠３０には日付用紙１０が挿入されているので、卓上に置いた状態でカレンダーとして使用できることになる。また、前記第２の面に形成された凸字、逆凸字状のスリット１２１、１２２には前記同様写真等２０を保持することができることになる。
【００２３】
上記構成により、前記保持枠に１２枚の各月に対応する日付用紙１０を保持させた状態で、第１の面と第２の面、および第３の面、その先端の差込代を伸ばし、差込代を利用することによって、壁掛けタイプのカレンダーとすることができる。一方、第１の面と第２の面、および第３の面、その先端の差込代を、一方の面が外側になるようにかつ第３の面が底辺となる2等辺３角形を形成することによって、卓上タイプのカレンダーとなる。
【産業上の利用可能性】
【００２４】
説明したように、本考案は壁掛けカレンダ−としても、卓上カレンダーとしても使用でき、産業上の利用可能性は極めて高いといえる。
【符号の説明】
【００２５】
１００  台紙
１１  第１の面
１２  第２の面
１３  第３の面
１４  差込代
２１  第１の折れ線
２２  第２の折れ線
２３  第３の折れ線
３０  保持枠
４０  日付用紙
【図１】
0003192115.tif 000003
【図２】
0003192115.tif 000004
【図３】
0003192115.tif 000005